(57)【特許請求の範囲】
【請求項１】
投入された紙幣を金種ごとに分別して収納する紙幣処理装置において、
複数枚の紙幣を一括して投入できる紙幣投入口と、
前記紙幣投入口の奥にあって投入された前記紙幣を１枚ずつ分離して取り込む紙幣分離取り込み部と、
前記紙幣分離取り込み部から下流に設けられて前記紙幣が搬送される入庫紙幣搬送路と、
前記入庫紙幣搬送路にあって前記紙幣の真贋および金種を鑑別する入庫紙幣鑑別部と、
前記入庫紙幣搬送路にあって前記入庫紙幣鑑別部の搬送方向下流に揺動可能に設けられて前記入庫紙幣鑑別部による鑑別結果に応じて搬送方向を切り替えて前記紙幣を金種ごとに振り分ける入庫搬送切り替えゲートと、
振り分けられた前記紙幣が集積されて収納される４個の収納庫と、
前記収納庫のうち収納紙幣を出金する出金用収納庫の底部に昇降可能な可動板を備え前記可動板を昇降して前記出金用収納庫の底面の高さを調節する収納庫底面昇降部と、
前記可動板に対向して設けられた回転可能な分離繰り出しローラを備え前記可動板の上昇によって前記分離繰り出しローラに圧接された前記収納紙幣を分離して繰り出す紙幣分離繰り出し部と、
前記紙幣分離繰り出し部から下流に設けられて繰り出された前記収納紙幣が搬送される出庫紙幣搬送路と、
前記出庫紙幣搬送路に設けられて搬送された前記収納紙幣を出金する紙幣出金口と、
を有し、
前記紙幣分離取り込み部は、
前記紙幣投入口から下流に向かって設けられた搬送路と、
重なり状態にある前記紙幣のうち最上位の紙幣だけを分離して下流側に繰り出す分離取り込みローラと、
前記搬送路を挟んで前記分離取り込みローラに対向して配置されるとともに、回動可能に前記紙幣投入口側の一端で軸支され、前記分離取り込みローラ方向に付勢された紙幣荷重部材と、
前記分離取り込みローラと同期回転し、前記分離取り込みローラが繰り出した前記紙幣を引き抜き搬送する一対の引き抜きローラと、
前記紙幣荷重部材の回動軸に固定されて前記紙幣荷重部材と同期回動する荷重カムと、
前記分離取り込みローラの回転軸に固定されて同期回転して前記荷重カムを係脱し、前記引き抜きローラが前記紙幣を引き抜き搬送するとき、前記紙幣荷重部材の前記分離取り込みローラ方向の付勢に抗して前記荷重カムを係止する取り込みカムと、
を有することを特徴とする紙幣処理装置。
【請求項２】
前記紙幣分離繰り出し部の搬送方向下流にあって繰り出された前記収納紙幣の枚数の計数を行う紙幣計数部と、
前記紙幣計数部にて計数が正常に行なわれなかった前記収納紙幣を保留する出金リジェクト庫と、
前記出庫紙幣搬送路にあって前記紙幣計数部の搬送方向下流に揺動可能に配置され、前記紙幣計数部にて計数が正常に行われた場合には前記収納紙幣を前記紙幣出金口へ導き、前記紙幣計数部にて計数が正常に行われなかった場合には前記収納紙幣を前記出金リジェクト庫へ導くよう、前記収納紙幣の搬送方向を切り替える出庫搬送切り替えゲートと、
をさらに有することを特徴とする請求項１記載の紙幣収納装置。
【請求項３】
前記出庫紙幣搬送路は、前記入庫紙幣搬送路と共有されていることを特徴とする請求項１記載の紙幣処理装置。
【請求項４】
４個の前記収納庫は一体に形成されていることを特徴とする請求項１記載の紙幣処理装置。
【発明の詳細な説明】
【０００１】
【発明の属する技術分野】
本発明は紙幣処理装置に関し、特に一括投入された複数枚の紙幣を金種ごとに分別して収納しその収納紙幣を釣銭紙幣あるいは両替紙幣として出金する紙幣処理装置に関する。
【０００２】
【従来の技術】
遊技場などで用いられている両替機や券売機には紙幣処理装置が備えられている。この紙幣処理装置は、紙幣が入金されると、その紙幣を金種ごとに分別して収納し、収納された収納紙幣を必要に応じて両替紙幣あるいは釣銭紙幣として出金する。
【０００３】
図６は従来の紙幣処理装置の概略の断面図である。
紙幣処理装置１０１は、紙幣投入口１０２から下流に向かって設けられた入庫紙幣搬送路１０４を有している。入庫紙幣搬送路１０４の途中で紙幣投入口２の奥にはセンサ１０３が設けられていて、センサ１０３の下流には入庫紙幣鑑別部１０５が設けられている。
【０００４】
入庫紙幣搬送路１０４にあって入庫紙幣鑑別部１０５の下流には、揺動可能に設けられた入庫搬送切り替えゲート１０６ａ，１０６ｂが設けられている。この入庫搬送切り替えゲート１０６ａ，１０６ｂは、紙幣投入待機時には入庫紙幣搬送路１０４の通路から退避している。入庫搬送切り替えゲート１０６ａが駆動されて入庫紙幣搬送路１０４の通路内に進入した場合の搬送方向には千円用収納庫１０７ａが配置されていて、入庫搬送切り替えゲート１０６ｂが駆動されて入庫紙幣搬送路１０４の通路内に進入した場合の搬送方向には五千円用収納庫１０７ｂが配置されている。入庫紙幣搬送路１０４の終端には一万円用収納庫１０７ｃが配置されている。
【０００５】
千円用収納庫１０７ａには、その底面を昇降させる図示しない収納庫底面昇降機構が設けられている。さらに、千円用収納庫１０７ａの収納紙幣の集積方向に紙幣分離繰り出し部１０８の分離繰り出しローラ１０９が配置されている。紙幣分離繰り出し部１０８からは下流に向かって出庫紙幣搬送路１１６が設けられていて、出金保留部１１０および紙幣出金口１１２につながっている。この出金保留部１１０と紙幣出金口１１２との間には束搬送機構１１１が備えられている。
【０００６】
出庫紙幣搬送路１１６には、紙幣分離繰り出し部１０８の下流側に繰り出しセンサ１１３が設けられている。紙幣繰り出しセンサ１１３のさらに下流側には揺動可能に設けられた出庫搬送切り替えゲート１１４が配置されている。この出庫搬送切り替えゲート１１４は、紙幣出庫待機時には出庫紙幣搬送路１１６の通路から退避している。出庫搬送切り替えゲート１１４が駆動されて出庫紙幣搬送路１１６の通路内に進入した場合の搬送方向には出金リジェクト庫１１５が設けられている。
【０００７】
上記の構成の紙幣処理装置１０１において紙幣の入出金動作が行われる。まず、紙幣処理装置１０１の入金動作について説明する。
紙幣投入口１０２に１枚ずつ紙幣が投入されると、その紙幣がセンサ１０３を遮光することにより入庫紙幣搬送路１０４が駆動し、その紙幣を装置内部に搬送する。搬送された紙幣は、入庫紙幣鑑別部１０５によって真贋判定および金種判別が行われ、ここで偽札と判定された場合には、紙幣処理装置１０１は、入庫紙幣搬送路１０４を逆転動作し、その紙幣を紙幣投入口１０２に返却する。一方、真札と判定された紙幣は、さらに搬送され、金種ごとに分別して収納される。
【０００８】
ここで、例えば、入庫紙幣鑑別部１０５で真札と判定された紙幣の金種判別結果が千円であった場合は、紙幣処理装置１０１は、入庫搬送切り替えゲート１０６ａを駆動して入庫紙幣搬送路１０４の通路を塞いで千円用収納庫１０７ａに搬送し、千円用収納庫１０７ａが備える整列機構によって紙幣を整列した状態で収納する。紙幣の金種判別結果が五千円であった場合は、紙幣処理装置１０１は、入庫搬送切り替えゲート１０６ａを駆動せずに入庫搬送切り替えゲート１０６ｂを駆動して入庫紙幣搬送路１０４の通路を塞いで五千円用収納庫１０７ｂに搬送し、五千円用収納庫１０７ｂが備える整列機構によって紙幣を整列した状態で収納する。また、紙幣の金種判別結果が一万円であった場合には、紙幣処理装置１０１は、入庫搬送切り替えゲート１０６ａ，１０６ｂを駆動せずに、一万円用収納庫１０７ｃに搬送し、一万円用収納庫１０７ｃが備える整列機構によって紙幣を整列した状態で収納する。
【０００９】
このように、紙幣処理装置１０１は、１枚ずつ投入された紙幣を金種ごとに分別して収納して行く。
次に、紙幣処理装置１０１の出金動作について説明する。
【００１０】
出金指令があった場合には、千円用収納庫１０７ａに収納されている千円紙幣を、収納庫底面昇降機構によって分離繰り出しローラ１０９に押し付ける。次いで、紙幣処理装置１０１は、紙幣分離繰り出し部１０８を駆動して分離繰り出しローラ１０９を回転し、分離繰り出しローラ１０９に押し付けられている千円紙幣のうち分離繰り出しローラ１０９に接触している千円紙幣を１枚ずつ分離して繰り出す。この繰り出された千円紙幣は出庫紙幣搬送路１１６を搬送され、一旦出金保留部１１０に保留される。
【００１１】
ここで、紙幣分離繰り出し部１０８によって繰り出された千円紙幣の枚数は、繰り出しセンサ１１３によって計数が行われる。複数枚の千円紙幣が重なり状態で繰り出されてしまった場合など、紙幣枚数の計数が正常に行われなかった場合には、紙幣処理装置１０１は、出庫搬送切り替えゲート１１４を駆動して出庫紙幣搬送路１１６の通路を塞ぎ、これらの千円紙幣を出金リジェクト庫１１５に搬送する。
【００１２】
出金指令に応じた枚数の千円紙幣が繰り出され、出金保留部１１０への保留が完了すると、束搬送機構１１１が保留されている千円紙幣を紙幣出金口１１２に搬送する。
【００１３】
このような紙幣処理装置１０１における紙幣の回収は、千円用収納庫１０７ａ、五千円用収納庫１０７ｂ、一万円用収納庫１０７ｃ、および出金リジェクト庫１１５をそれぞれ開放して行われる。
【００１４】
ところで、近年は二千円紙幣が発行されたことに伴い、両替機や券売機に備えられる紙幣処理装置においても二千円紙幣への対応が望まれている。
【００１５】
【発明が解決しようとする課題】
しかしながら、従来の紙幣処理装置は、３個の収納庫、すなわち、千円紙幣、五千円紙幣、および一万円紙幣の３金種の収納庫を備えているのみであり、二千円紙幣を含めた４金種には対応していなかった。
【００１６】
このような３金種に対応している従来の紙幣処理装置で、二千円紙幣を含めた４金種を収納する場合には、例えば、一万円紙幣と二千円紙幣とをひとつの収納庫に混合して収納するなど、異なる金種の紙幣をひとつの収納庫に収納する必要があった。しかし、この場合、紙幣回収時に、ひとつの収納庫に収納された、異なる金種の紙幣を手作業で仕分けなければならず、手間がかかるという問題点があった。
【００１７】
また、従来の紙幣処理装置では、紙幣を１枚ずつ投入しなければならず、複数枚の紙幣を入金する際に手間がかかるという問題点があった。
本発明はこのような点に鑑みてなされたものであり、４金種の紙幣を金種ごとに分別収納して紙幣回収を効率的に行う紙幣処理装置を提供することを目的とする。
【００１８】
また、本発明は、一括して投入される複数枚の紙幣の取り込みを効率的に行う紙幣処理装置を提供することを目的とする。
【００１９】
【課題を解決するための手段】
本発明では上記問題を解決するために、投入された紙幣を金種ごとに分別して収納する紙幣処理装置において、複数枚の紙幣を一括して投入できる紙幣投入口と、紙幣投入口の奥にあって投入された紙幣を１枚ずつ分離して取り込む紙幣分離取り込み部と、紙幣分離取り込み部から下流に設けられて紙幣が搬送される入庫紙幣搬送路と、入庫紙幣搬送路にあって紙幣の真贋および金種を鑑別する入庫紙幣鑑別部と、入庫紙幣搬送路にあって入庫紙幣鑑別部の搬送方向下流に揺動可能に設けられて入庫紙幣鑑別部による鑑別結果に応じて搬送方向を切り替えて紙幣を金種ごとに振り分ける入庫搬送切り替えゲートと、振り分けられた紙幣が集積されて収納される４個の収納庫と、収納庫のうち収納紙幣を出金する出金用収納庫の底部に昇降可能な可動板を備え可動板を昇降して出金用収納庫の底面の高さを調節する収納庫底面昇降部と、可動板に対向して設けられた回転可能な分離繰り出しローラを備え可動板の上昇によって分離繰り出しローラに圧接された収納紙幣を分離して繰り出す紙幣分離繰り出し部と、紙幣分離繰り出し部から下流に設けられて繰り出された収納紙幣が搬送される出庫紙幣搬送路と、出庫紙幣搬送路に設けられて搬送された前記収納紙幣を出金する紙幣出金口と、を有し、紙幣分離取り込み部は、紙幣投入口から下流に向かって設けられた搬送路と、重なり状態にある紙幣のうち最上位の紙幣だけを分離して下流側に繰り出す分離取り込みローラと、搬送路を挟んで分離取り込みローラに対向して配置されるとともに、回動可能に紙幣投入口側の一端で軸支され、分離取り込みローラ方向に付勢された紙幣荷重部材と、分離取り込みローラと同期回転し、分離取り込みローラが繰り出した紙幣を引き抜き搬送する一対の引き抜きローラと、紙幣荷重部材の回動軸に固定されて紙幣荷重部材と同期回動する荷重カムと、分離取り込みローラの回転軸に固定されて同期回転して荷重カムを係脱し、引き抜きローラが紙幣を引き抜き搬送するとき、紙幣荷重部材の分離取り込みローラ方向の付勢に抗して荷重カムを係止する取り込みカムと、を有することを特徴とする紙幣処理装置が提供される。
【００２０】
このような紙幣処理装置によれば、紙幣分離取り込み部が、一括投入された複数枚の紙幣を１枚ずつ分離して装置内部に取り込むので、複数枚の紙幣の投入に手間がかからず、紙幣投入の操作性が向上する。
【００２１】
また、４個の収納庫が設けられていて、入庫搬送切り替えゲートが、金種ごとに紙幣を各収納庫に振り分けるので、現在流通している４金種の紙幣に対応することができる。これにより、ひとつの収納庫に異なる金種の紙幣を混合収納する必要がなくなり、紙幣回収時の仕分け作業がなくなる。
また、引き抜きローラが紙幣を引き抜き搬送するとき、取り込みカムが紙幣荷重部材の分離取り込みローラ方向の付勢に抗して荷重カムを係止するので、引き抜きローラによる紙幣の引き抜き抵抗が軽減される。
【００２２】
【発明の実施の形態】
以下、本発明の実施の形態を図面を参照して詳細に説明する。
図１は入金動作を説明する紙幣処理装置の概略の断面図である。
【００２３】
紙幣処理装置１は、紙幣投入口２の奥にセンサ３が設けられていて、このセンサ３のさらに奥には紙幣分離取り込み部４が設けられている。紙幣分離取り込み部４からは、下流に向かって入庫紙幣搬送路５が設けられていて、紙幣分離取り込み部４の下流側には入庫紙幣鑑別部６が設けられている。
【００２４】
入庫紙幣搬送路５にあって入庫紙幣鑑別部６の搬送方向下流には、入庫搬送切り替えゲート８ａ，８ｂ，８ｃ，８ｄが揺動可能に設けられている。この入庫搬送切り替えゲート８ａ，８ｂ，８ｃ，８ｄは、紙幣投入待機時には入庫紙幣搬送路５の通路から退避している。
【００２５】
入庫搬送切り替えゲート８ａが駆動されて入庫紙幣搬送路５の通路内に進入した場合の搬送方向には一万円用収納庫７ａが配置されている。同様に、入庫搬送切り替えゲート８ｂが駆動されて入庫紙幣搬送路５の通路内に進入した場合の搬送方向には五千円用収納庫７ｂが配置され、入庫搬送切り替えゲート８ｃが駆動されて入庫紙幣搬送路５の通路内に進入した場合の搬送方向には二千円用収納庫７ｃが配置されている。さらに、入庫紙幣搬送路５の終端には千円用収納庫７ｄが配置されている。また、入庫搬送切り替えゲート８ｄが駆動されて入庫紙幣搬送路５の通路内に進入した場合の搬送方向には、紙幣出金口１１が配置されている。
【００２６】
一万円用収納庫７ａ、五千円用収納庫７ｂ、二千円用収納庫７ｃ、千円用収納庫７ｄ、および紙幣出金口１１のそれぞれの入口部分であって、入庫搬送切り替えゲート８ａ，８ｂ，８ｃ，８ｄが入庫紙幣搬送路５の通路内に進入することにより切り替えられた紙幣搬送路には、図中反時計回り方向に回転する羽根車９ａ，９ｂ，９ｃ，９ｄ，９ｅが設けられていて、その羽部分がそれぞれ紙幣搬送路内に進入するよう配置されている。
【００２７】
さらに、一万円用収納庫７ａ、五千円用収納庫７ｂ、二千円用収納庫７ｃ、千円用収納庫７ｄ、および紙幣出金口１１には、押え板１０ａ，１０ｂ，１０ｃ，１０ｄ，１０ｅが設けられていて、それぞれ底面方向に付勢されている。
【００２８】
また、一万円用収納庫７ａ、五千円用収納庫７ｂ、二千円用収納庫７ｃ、および千円用収納庫７ｄは、一体で形成されていて、共通の扉によって開閉可能に構成されている。
【００２９】
ここで、紙幣処理装置１が備える紙幣分離取り込み部４について具体的に説明する。
図２は紙幣分離取り込み部の概略の断拡大面図である。
【００３０】
紙幣処理装置１の紙幣分離取り込み部４は、紙幣投入口２から下流に向かって設けられた搬送路４ａを有している。紙幣投入口２内の奥には紙幣荷重部材４ｂおよび繰り出しローラ４ｃが設けられており、繰り出しローラ４ｃに対向して分離取り込みローラ４ｄが配置されている。さらに、この繰り出しローラ４ｃの下流側に分離取り込みローラ４ｄに対向して阻止ローラ４ｅが設けられていて、分離取り込みローラ４ｄおよび阻止ローラ４ｅの下流側には入庫紙幣搬送路５を挟んで一対の引き抜きローラ４ｆおよび４ｇが設けられており、入庫紙幣搬送路５内で接触するよう配置されている。
【００３１】
紙幣荷重部材４ｂには、分離取り込みローラ４ｄ側と反対側にばねが設けられていて、このばねの付勢力によって分離取り込みローラ４ｄの方に荷重が加えられるようになっている。
【００３２】
分離取り込みローラ４ｄは、図中反時計回り方向に回転駆動されるよう構成されている。さらに、分離取り込みローラ４ｄには、その外周の一部に高摩擦係数を有するゴム４ｈが設けられており、回転駆動時には、このゴム４ｈが搬送路４ａ内に進入するようになっている。また、分離取り込みローラ４ｄは、繰り出しローラ４ｃおよび阻止ローラ４ｅと、搬送路４ａ内で外周面が接触するよう配置されている。
【００３３】
引き抜きローラ４ｆは、分離取り込みローラ４ｄと同期して図中反時計回り方向に回転駆動され、引き抜きローラ４ｇは、図中時計回り方向に回転駆動されるよう構成されている。
【００３４】
上記の構成の紙幣分離取り込み部４において、紙幣投入口２から一括投入された複数枚の紙幣は、紙幣荷重部材４ｂにより分離取り込みローラ４ｄの方へ荷重が加えられる。
【００３５】
分離取り込みローラ４ｄが回転駆動されて、これに設けられたゴム４ｈが、紙幣と接触すると、その接触の摩擦力により、ゴム４ｈに付随して紙幣が分離取り込みローラ４ｄと繰り出しローラ４ｃとの間から、分離取り込みローラ４ｄと阻止ローラ４ｅとの間へと繰り出される。
【００３６】
繰り出された紙幣は、さらに分離取り込みローラ４ｄによって下流側へ搬送される。このとき、紙幣が分離取り込みローラ４ｄと阻止ローラ４ｅとの間を通過する際に、分離取り込みローラ４ｄによって１枚だけ分離されて繰り出される。その後、分離されて繰り出された紙幣は、引き抜きローラ４ｆ，４ｇによって入庫紙幣搬送路５へと搬送される。
【００３７】
以上の動作を繰り返すことにより、一括投入された紙幣が１枚ずつ順次入庫紙幣搬送路５へ繰り出されて行く。
また、図３および図４に紙幣処理装置が備える紙幣分離取り込み部の他の例を示す。
【００３８】
図３は他の紙幣分離取り込み部の概略の断面図である。
紙幣処理装置１の紙幣分離取り込み部４１は、紙幣投入口２から下流に向かって設けられた搬送路４１ａを有している。紙幣投入口２の奥には分離取り込みローラ４１ｂが配置されている。さらに、紙幣投入口２を挟んで分離取り込みローラ４１ｂに対向して紙幣荷重機構部４１ｃが配置され、この紙幣荷重機構部４１ｃの下流側には紙幣阻止部４１ｄが配置されている。紙幣阻止部４１ｄから下流側へは入庫紙幣搬送路５が配置されていて、紙幣阻止部４１ｄの下流側には一対の引き抜きローラ４１ｅ，４１ｆが、回転時に入庫紙幣搬送路５内で接触するよう配置されている。
【００３９】
分離取り込みローラ４１ｂは、Ｌ字型に切り込まれた切り欠き部４１ｇを有している。この切り欠き部４１ｇは、紙幣投入待機状態のときに、投入された紙幣の先端が当接する辺と、紙幣投入口２の上壁に沿うように形成された辺とから成る。この切り欠き部４１ｇを除く分離取り込みローラ４１ｂの外周の一部には、摩擦部材のゴム４１ｈが嵌め込まれている。さらに、分離取り込みローラ４１ｂには、切り欠き部４１ｇの外周方向上流側近傍に外周が分離取り込みローラ４１ｂの外周よりわずかに突出しているローラ４１ｉが設けられている。
【００４０】
紙幣荷重機構部４１ｃは、搬送路４１ａを挟んで分離取り込みローラ４１ｂに対向して配置された紙幣荷重部材４１ｊを有している。この紙幣荷重部材４１ｊは、分離取り込みローラ４１ｂ側と反対側にばねが設けられていて、分離取り込みローラ４１ｂ方向に付勢されるようになっている。
【００４１】
紙幣阻止部４１ｄは、阻止パッド４１ｋを有しており、分離取り込みローラ４１ｂ側と反対側にばねが設けられていて、分離取り込みローラ４１ｂに圧接されるようになっている。
【００４２】
図４は紙幣処理装置の紙幣分離取り込み部の側面図である。
図３に示した紙幣分離取り込み部４１の側面には、紙幣荷重部材４１ｊの軸に固定されていて、これと同期回動する荷重カム４１ｍと、分離取り込みローラ４１ｂの回転軸に固定された取り込みカム４１ｎとが配置されている。取り込みカム４１ｎは、分離取り込みローラ４１ｂと同期回転して、紙幣投入待機時および紙幣分離繰り出し動作時に荷重カム４１ｍを係脱するようになっている。
【００４３】
図３および図４に示した構成の紙幣分離取り込み部４１は、紙幣の投入待機時には図３に示した状態になっている。このとき、図４に示したように、荷重カム４１ｍは、分離取り込みローラ４１ｂがこの紙幣の投入待機位置にて、取り込みカム４１ｎにより、ばねの付勢力に抗して押し下げられており、これにより、紙幣荷重部材４１ｊが、紙幣投入口２の搬送路４ａから退避している。
【００４４】
ここで、分離取り込みローラ４１ｂが、図３および図４の反時計回り方向に回転すると、この回転に同期して取り込みカム４１ｎが回転し、荷重カム４１ｍの係止が解除される。その結果、荷重カム４１ｍと同期回動する紙幣荷重部材４１ｊが、ばねによって分離取り込みローラ４１ｂ側に付勢されるようになる。このとき、紙幣投入口２に複数枚の紙幣が投入されている場合には、これらの紙幣は、紙幣荷重部材４１ｊによって分離取り込みローラ４１ｂに押し付けられるようになる。
【００４５】
さらに分離取り込みローラ４１ｂが回転すると、その分離取り込みローラ４１ｂの外周部に設けられたゴム４１ｈと紙幣との間に発生する摩擦力によって、紙幣が下流側へ繰り出される。このとき、紙幣は、分離取り込みローラ４１ｂと阻止パッド４１ｋとの間を通過するため、たとえ２枚以上の紙幣が重なり状態で繰り出されようとしても、ゴム４１ｈと接触している最上位の紙幣以外は、その阻止パッド４１ｋによって通過が阻止され、最上位の紙幣だけが分離されて繰り出されることになる。
【００４６】
分離取り込みローラ４１ｂがさらに回転すると、繰り出された紙幣は、分離取り込みローラ４１ｂと同期回転されている引き抜きローラ４１ｅ，４１ｆによって引き抜き搬送されるようになる。このとき、取り込みカム４１ｎが、再び荷重カム４１ｍを係止し始めるため、紙幣荷重部材４１ｊの分離取り込みローラ４１ｂ側への付勢が弱められ、これによって、引き抜きローラ４１ｅ，４１ｆによる紙幣の引き抜き抵抗を軽減している。
【００４７】
分離取り込みローラ４１ｂが１回転すると、取り込みカム４１ｎは、荷重カム４１ｍを押し下げ、これと同期して紙幣荷重部材４１ｊは、ばねの付勢力に抗して押し下げられている。この状態から分離取り込みローラ４１ｂが回転駆動され、この時点で最上位にある紙幣の繰り出し動作が開始する。
【００４８】
以降、同じ動作を繰り返すことにより、紙幣投入口２に投入された複数枚の紙幣を順次１枚ずつ分離して繰り出して行く。
このような紙幣分離取り込み部４１を紙幣処理装置１に設けて、一括投入された複数枚の紙幣を１枚ずつ分離して取り込むように構成することもできる。
【００４９】
以上説明した紙幣処理装置１において、紙幣投入口２に複数枚の紙幣が一括投入されると、それらの紙幣がセンサ３を遮光することによって、紙幣分離取り込み部４が駆動を開始し、前述の機構によって紙幣投入口２に一括投入された複数枚の紙幣を１枚ずつ分離して装置内部に取り込む。
【００５０】
取り込まれた紙幣は、入庫紙幣搬送路５を搬送されて入庫紙幣鑑別部６によって真贋および金種が鑑別される。ここで、取り込まれた紙幣が偽札と判定された場合には、紙幣処理装置１は、入庫紙幣搬送切り替えゲート８ｄを駆動して入庫紙幣搬送路５の通路を塞ぎ、紙幣を紙幣出金口１１へ導いて返却する。一方、入庫紙幣鑑別部６にて真札と判定された場合には、紙幣処理装置１は、入庫搬送切り替えゲート８ｄを駆動せず、入庫紙幣搬送路５の通路から退避させたままとする。紙幣は、入庫搬送切り替えゲート８ｄで搬送方向を切り替えられることなくさらに入庫紙幣搬送路５を搬送され、入庫紙幣鑑別部６の判別結果に応じて金種ごとに分別して収納される。
【００５１】
ここで、紙幣の金種ごとの分別収納について説明する。
例えば、入庫紙幣鑑別部６の金種判別結果が一万円であった場合は、紙幣処理装置１は、入庫搬送切り替えゲート８ａを駆動して入庫紙幣搬送路５の通路を塞ぎ、一万円用収納庫７ａに、羽根車９ａによって紙幣を送り込み、さらに、押え板１０ａによって紙幣を押え、整列した状態で集積して収納する。また、入庫紙幣鑑別部６の金種判別結果が五千円であった場合は、紙幣処理装置１は、入庫搬送切り替えゲート８ａを駆動せずに入庫搬送切り替えゲート８ｂを駆動して入庫紙幣搬送路５の通路を塞ぎ、五千円用収納庫７ｂに、羽根車９ｂによって紙幣を送り込み、さらに、押え板１０ｂによって紙幣を押え、整列した状態で集積して収納する。入庫紙幣鑑別部６の金種判別結果が二千円であった場合には、紙幣処理装置１は、入庫搬送切り替えゲート８ａ，８ｂを駆動せずに入庫搬送切り替えゲート８ｃを駆動して入庫紙幣搬送路５の通路を塞ぎ、二千円用収納庫７ｃに、羽根車９ｃによって紙幣を送り込み、さらに、押え板１０ｃによって紙幣を押え、整列した状態で集積して収納する。入庫紙幣鑑別部６の金種判別結果が千円であった場合には、入庫紙幣搬送路５の終端に配置された千円用収納庫７ｄに、羽根車９ｄによって紙幣を送り込み、さらに、押え板１０ｄによって、紙幣を押え、整列した状態で集積して収納する。
【００５２】
このように、本形態の紙幣処理装置は、一括投入された複数枚の紙幣を、紙幣分離取り込み部によって１枚ずつ分離して取り込み、金種ごとに入庫搬送切り替えゲートを切り替えて、各収納庫に分別して収納する。これにより、複数枚の紙幣の一括投入が可能となるので、複数枚の紙幣投入の操作性が向上し、紙幣処理装置の紙幣取り込み効率が向上する。また、紙幣処理装置内に４個の収納庫を配置することにより、４金種の紙幣に対応することができる。
【００５３】
次に紙幣処理装置１の出金動作について説明する。
図５は出金動作を説明する紙幣処理装置の概略の断面図である。
紙幣処理装置１が有する４個の収納庫のうち、例えば両替紙幣や釣銭紙幣として用いるためにそこに収納されている収納紙幣を出金する出金用収納庫として、千円用収納庫７ｄが選択される。
【００５４】
この千円用収納庫７ｄの底部には、駆動モータおよびガイドにより昇降可能に設けられた可動板１２ａが配置され、その可動板１２ａを昇降して千円用収納庫７ｄの底面の高さを調節する収納庫底面昇降部１２が設けられている。この収納庫底面昇降部１２は、入金動作時には千円用収納庫７ｄが所定の深さとなる位置で停止していて、出金動作時には可動板１２ａを上昇させるようになっている。
【００５５】
さらに、紙幣処理装置１には、千円用収納庫７ｄの底面に配置された可動板１２ａに対向して紙幣分離繰り出し部１３の分離繰り出しローラ１３ａが配置されている。この分離繰り出しローラ１３ａは、図中反時計回り方向に回転可能に設けられていて、さらに、収納庫底面昇降部１２の可動板１２ａの上昇によって千円用収納庫７ｄの収納紙幣が上昇し、分離繰り出しローラ１３ａに圧接されるように配置されている。
【００５６】
紙幣分離繰り出し部１３からは、入庫紙幣搬送路５と同一で搬送方向が逆とした出庫紙幣搬送路１４が配置されていて、紙幣出金口１１につながっている。すなわち、本形態の紙幣処理装置１では、紙幣の入庫時および出庫時の搬送路が共有されるよう構成されている。
【００５７】
出庫紙幣搬送路１４には、紙幣分離繰り出し部１３の出口部分に、繰り出された収納紙幣の枚数の計数を行う紙幣計数部として、図示しない紙幣繰り出しセンサが設けられている。
【００５８】
また、この紙幣繰り出しセンサの下流には、出庫搬送切り替えゲート１５ａが揺動可能に設けられ、そのさらに下流側に１５ｂが揺動可能に設けられている。出庫搬送切り替えゲート１５ａは、紙幣出庫待機時には、出庫紙幣搬送路１４の通路から退避していて、千円用収納庫７ｄから収納紙幣が搬送されてくると、出庫紙幣搬送路１４の通路を塞ぎ、収納紙幣が紙幣投入口２の方向に搬送されないように配置されている。出庫搬送切り替えゲート１５ｂで切り替えられる一方の側には、紙幣出金口１１が配置されていて、他方の側には、紙幣繰り出しセンサで正常に計数が行われなかった収納紙幣を保留しておく出金リジェクト庫１６が設けられている。出庫搬送切り替えゲート１５ｂは、収納紙幣の出庫待機時には、収納紙幣が紙幣出金口１１方向に搬送されないように配置されている。
【００５９】
出金リジェクト庫１６の入口部分の紙幣搬送路には、図中反時計回り方向に回転する羽根車９ｆが設けられていて、その羽根部分が紙幣搬送路内に進入するよう配置されている。また、出金リジェクト庫１６には、押え板１０ｆが設けられていて、出金リジェクト庫１６の底面方向に付勢されている。
【００６０】
上記の構成の紙幣処理装置１において、出金動作時には、図１に示した入庫搬送ゲート８ａ，８ｂ，８ｃ，８ｄは、紙幣投入待機時の状態になっていて、すべて入庫紙幣搬送路５から退避している。
【００６１】
出金指令があった場合には、紙幣処理装置１は、千円用収納庫７ｄに設けられた収納庫底面昇降部１２の駆動モーターを駆動してガイドに沿って可動板１２ａを上昇させ、収納紙幣を押え板１０ｄの付勢力に抗して押し上げる。その結果、収納紙幣は分離繰り出しローラ１３ａに圧接されるようになる。
【００６２】
次いで、紙幣処理装置１は、分離繰り出しローラ１３ａを回転させ、分離繰り出しローラ１３ａに圧接されている収納紙幣のうち分離繰り出しローラ１３ａに接触している収納紙幣から１枚ずつ順次分離して繰り出す。このように繰り出された収納紙幣は、紙幣繰り出しセンサによって１枚ずつ計数が行われ、釣銭や両替など、出金に必要な枚数の収納紙幣が繰り出される。
【００６３】
繰り出された収納紙幣は出庫紙幣搬送路１４を搬送される。紙幣処理装置１は、出庫搬送切り替えゲート１５ａ，１５ｂをそれぞれ駆動し、繰り出された収納紙幣を紙幣出金口１１側に搬送し、紙幣出金口１１に、羽根車９ｅによって送り込み、さらに、送り込まれた収納紙幣を押え板１０ｅによって押え、整列した状態で集積する。
【００６４】
ここで、紙幣分離繰り出し部１３による繰り出しの際、分離繰り出しローラ１３ａによって複数枚の収納紙幣が重なり状態で繰り出されてしまった場合など、繰り出された収納紙幣の枚数の計数が正常に行われなかった場合には、紙幣処理装置１は、出庫搬送切り替えゲート１５ａのみを駆動し、これらの収納紙幣を出金リジェクト庫１６側に搬送し、出金リジェクト庫１６に羽根車９ｆによって送り込み、さらに、送り込まれた収納紙幣を押え板１０ｆによって押え、整列した状態で集積する。
【００６５】
出金が終了すると、千円用収納庫７ｄでは、可動板１２ａが、千円用収納庫７ｄが所定の深さとなるまで下降し、紙幣の入庫待機状態となる。
このように、出金動作時には、出庫紙幣搬送路を入庫紙幣搬送路と共有することにより、別々に設けた場合に比べて、紙幣処理装置の小型化を図ることができるようになる。
【００６６】
次に、紙幣の回収について説明する。
収納紙幣の回収は、一体で設けられた一万円用収納庫７ａ、五千円用収納庫７ｂ、二千円用収納庫７ｃ、千円用収納庫７ｄに、さらに出金リジェクト庫１６が一体に付加されている。これらはひとつの扉で開閉可能に構成されている。
【００６７】
このように、紙幣処理装置内に４個の収納庫を配置することにより、現在流通している４金種の紙幣に対応することができるので、ひとつの収納庫に異なる金種の紙幣を混合収納する必要がなくなり、紙幣回収時の仕分け作業が不要であり、紙幣回収効率が向上する。さらに、４個の収納庫は一体に形成されていて共通の扉を有しているので、収納庫の機構を簡素化することができるようになる。
【００６８】
なお、以上の説明では、収納紙幣を出金する出金用収納庫として千円を選択した例について述べたが、紙幣処理装置の用途や設置場所などに応じて、この他の金種を出金用に選択してよい。さらに、紙幣分離繰り出し部１３を追加することにより、複数の金種の収納庫を出金用収納庫に選択することも可能である。
【００６９】
【発明の効果】
以上説明したように、本発明では、紙幣処理装置が、一括投入された複数枚の紙幣を、紙幣分離取り込み部によって１枚ずつ分離して取り込み、金種ごとに入庫搬送切り替えゲートを切り替えて、４個の収納庫にそれぞれ分別して収納する構成にした。これにより、４金種の紙幣に対応することができ、紙幣回収時の仕分け作業が不要となる。また、複数枚の紙幣の一括投入が可能となるので、紙幣投入の操作性が向上し、紙幣処理装置の紙幣取り込み効率が向上する。また、引き抜きローラが紙幣を引き抜き搬送するとき、取り込みカムが紙幣荷重部材の分離取り込みローラ方向の付勢に抗して荷重カムを係止するので、引き抜きローラによる紙幣の引き抜き抵抗が軽減される。
【００７０】
紙幣の入出庫時の搬送路を共有する構成とすることにより、紙幣処理装置の小型化を図ることができる。
４個の収納庫を一体に形成し、さらに共通の扉を有する構成とすることにより、収納庫の機構を簡素化することができる。
【図面の簡単な説明】
【図１】入金動作を説明する紙幣処理装置の概略の断面図である。
【図２】紙幣分離取り込み部の概略の断拡大面図である。
【図３】他の紙幣分離取り込み部の概略の断面図である。
【図４】紙幣処理装置の紙幣分離取り込み部の側面図である。
【図５】出金動作を説明する紙幣処理装置の概略の断面図である。
【図６】従来の紙幣処理装置の概略の断面図である。
【符号の説明】
１  紙幣処理装置
２  紙幣投入口
３  センサ
４  紙幣分離取り込み部
５  入庫紙幣搬送路
６  入庫紙幣鑑別部
７ａ  一万円用収納庫
７ｂ  五千円用収納庫
７ｃ  二千円用収納庫
７ｄ  千円用収納庫
８ａ，８ｂ，８ｃ，８ｄ  入庫搬送切り替えゲート
９ａ，９ｂ，９ｃ，９ｄ，９ｅ  羽根車
１０ａ，１０ｂ，１０ｃ，１０ｄ，１０ｅ  押え板
１１  紙幣出金口
【図１】
0004370736.tif 000002
【図２】
0004370736.tif 000003
【図３】
0004370736.tif 000004
【図４】
0004370736.tif 000005
【図５】
0004370736.tif 000006
【図６】
0004370736.tif 000007